(57)【特許請求の範囲】
【請求項１】
可搬の送信機ユニット（１１）と、受信機／制御ユニット（１２）と、を有するセキュリティ装置用の自動制御システムであって、
監視空間或いは目的物に配置される該受信機／制御ユニット（１２）は、
受信データを処理するプロセッサ（８）と、
セキュリティ装置を、通信装置（１５）および／または警報装置（１６−１９）とデータ転送接触させる制御出力（１０、１４）と、
ドアが開放されたことを検知する検知器（９）と、を備え、
該送信機ユニット（１１）は、該受信機／制御ユニット（１２）にユーザの存在を示すメッセージを与え、
該プロセッサ（８）は、
該ユーザの存在と、開放されつつあるドアの検知とを利用し、該ユーザの出入の情報を編集するソフトウェアを有し、
該受信機／制御ユニット（１２）は、該ユーザが監視空間から去ったことを該送信機ユニット（１１）のテレグラムの途切れを確認したときは、該監視空間に配置された該警報装置（１７）を自動的にスイッチオンする、
ことを特徴とする自動制御システム。
【請求項２】
前記検知器は、ドアの開放によって生成された低周波音を検知する超低周波音検知器であることを特徴とする請求項１に記載の自動制御システム。
【請求項３】
前記送信機ユニット（１１）から送られるメッセージは、装置専用の識別コードを含み、前記送信機ユニット（１１）は、メッセージ秘匿ユニット（４）を備えていることを特徴とする請求項１または２に記載の自動制御システム。
【請求項４】
前記受信機／制御ユニット（１２）は、バッテリ（１３）の充電状態を追従するメモリの端子（１４）によって構成されるインタフェイスを用いて移動電話（１５）と接続可能になっていることを特徴とする請求項１乃至３のいずれかに記載の自動制御システム。
【請求項５】
前記送信機（１１）は、ユーザの手首に巻かれ、アラームボタン（１）、皮膚接触センサ（２）、マイクロプロセッサ（３）、秘匿ユニット（４）および無線送信機（５）を含む装置によって構成されることを特徴とする請求項１乃至４のいずれかに記載の自動制御システム。
【請求項６】
前記受信機／制御ユニット（１２）は、前記送信機ユニット（１１）からのメッセージを受信する無線受信機（６）、アラームまたは制御メッセージを送信する無線送信機（７）、ソフトウェア付きのマイクロプロセッサ（８）および複数の前記制御出力（１０）を備えていることを特徴とする請求項１乃至５に記載の自動制御システム。
【請求項７】
前記送信機ユニット（１１）からのメッセージの送信間隔は、ランダム時間によって制御されることを特徴とする請求項１乃至６のいずれかに記載の自動制御システム。
【発明の詳細な説明】
【０００１】
本発明は、セキュリティ装置用の自動制御システムに関するものであって、可搬の送信機ユニットと、監視空間に配置され、受信データを処理するプロセッサおよび上記セキュリティ装置を通信および／または警報装置とデータ転送接触させる制御出力を備えた受信機ユニットを有する自動制御システムに関するものである。
【０００２】
伝統的に、パーソナルクリアランス（本人確認）、財産、および健康のセキュリティシステムの制御は、ユーザ（使用者）の自動制御によるコントロールキーボードやコントロールスイッチよって行われている。パーソナルクリアランスは、通常、別個の器具や、様々なクリアランスパス（clearance pass）、外部的な制御によって作動されるコードレス送信機等によって図られている。財産に関するセキュリティシステムでは、キーボードが例えば、盗難監視装置をオンオフするために用いられる。健康セキュリティシステムでは、コントロールスイッチが、ホーム・アウェイスイッチをもって受動性（passivity）監視を制御するのに用いられている。特に、子供、老人にとっては、上記制御システムはあまりにも複雑になっていて、不要な警報（アラーム）が発生するため、セキュリティ装置の使用が制限されている。また、警報装置では、自動車のアラームやビルディングの場合、誤った警報が操作ミスによって頻繁に発生する。パーソナルクリアランス装置では、サービスが、クリアランスパスを制御することに制限されている。
【０００３】
本発明の目的は、セキュリティ装置用の自動制御システムを提供することであって、ユーザによる自動制御なしにクリアランスパス、ビル、健康、自動車に関連したセキュリティ装置を自動的に制御するのに共通の制御装置を用いた該自動制御システムを提供することである。パーソナルクリアランス動作はまた、自動位置決定システムを特徴とする。
【０００４】
この目的は、添付特許請求の範囲第１項の特徴部によって達成される。
【０００５】
本制御システムの別の新規な特徴は、ユーザが、手首に巻いた一個の監視装置によって全ての装置を制御可能で、また建物の内外において生理状態を監視することが可能となることである。移動電話に接続されるときは、可搬のセキュリティシステムとなる。
【０００６】
図面を参照して、本発明を詳細に説明する。本発明のシステムは、図１に示されたリストユニット１１と受信機ユニット１２からなる。このようなユニットの例は、本願の出願人によるＷＯ９３／１６６３６（Ａ６１Ｂ５／１１）およびＷＯ９５／０７６５２（Ａ６１Ｂ５／０２４５）に記載されている。リストユニット１１は、従来技術によって設計された、アラームボタン１、コンタクト（タッチ）センサ２、マイクロプロセッサ３、秘匿ユニット４，および無線送信機を備えている。ユニット１１は必ずしも手首に巻く必要はないから、可搬の受信機ユニットと呼ぶこともできる。受信機／制御装置１２は、従来型の無線受信機６、送信機７、超低周波音検知器９、マイクロプロセッサ８およびソフトウェアを備えている。受信機／制御ユニット１２は、種々の通信／警報システムの標準の回路に接続するため制御出力を備えている。受信機／制御ユニット１２は、複数ユーザの制御システムを確立するために、複数のリストユニット１１を含むようにプログラムすることが可能である。プロセッサ８は種々の応用のための種々のプログラムを備えることが可能である。
【０００７】
本発明による制御システムの動作は、リストユニット１１から送信され、公知手段、例えば、装置専用のＩＤコードと共に秘匿ユニット４を用いて隠された（人に知られないようにした）メッセージ（テレグラム）を基礎としている。テレグラム間の送信間隔は、ランダム時間によって制御されているので、テレグラムが衝突する危険は少ない。本発明の制御システムの受信機／制御ユニットは、上記テレグラムによって、ユーザの存在を検知する。低周波音検知器９はドアを開けることによって生じた低周波音を検知する。プロセッサ８は、検知器９が建物または自動車のドアを開けたことを検知し、リストユニット１１から発せられたテレグラムと、ユーザが戸口を通って入ろうとしているのか出ようとしているのかについての情報をコンパイルするためのソフトウェアを含んでいる。リストユニット１１のタッチセンサは、装置がユーザの手首にきちんと巻かれているかどうか確認するために用いられる。従って、手首からそれを取ると、リストユニット１１は低電流状態にスイッチオフされ、その情報が受信機６に送られ、それを警報として用いることが可能である。
【０００８】
例えば、ユーザが建物や自動車から出るとき、リストユニット１１がテレグラムを送っている間に、超低周波音センサ９がドアが開けられたとの情報を与える。ユーザが送信機／リストユニット１１の動作領域から離れたため、テレグラムがとぎれる時、マイクロプロセッサ８のソフトウェアがユーザは監視空間から離れたことを示す。
【０００９】
続いて、プロセッサ８のソフトウェアは、盗難監視装置１７を作動させ、クリアランスパスシステムに、ユーザが外出したという情報を与える。このデータ転送は無線周波または永久的な接続によって実行される。この機能は、日中の活動は制限されないが、夜間には警報が発せられる
アルツハイマ患者に対する時間極めの活動監視として老人に対する安全システムにおいて使用可能である。
【００１０】
ユーザが監視領域に入るとき、制御システムは、受信したＩＤ、さらに必要に応じて、ドアの開放を識別するとともに、盗難監視装置をスイッチオフし、またその存在についての通知をクリアランス制御または外来患者セキュリティシステムに送る。
【００１１】
リストユニット１１は、図１の基本モデルから身体状態をモニタするセンサおよびソフトウェアを備えたモデルなど多岐にわたる（上記した国際特許出願参照）。
【００１２】
移動電話（図２、図４）に関して、本発明による制御システムは、身体状態の監視を実行するリストユニットと可搬のセキュリティシステムからなる。制御システムは、回路がバッテリ１３の追従メモリの端子点によって構成されるようにして移動電話１５のバッテリケースと結合して収容できるので、制御システムのプロセッサは、バッテリの追従メモリをシミュレートするとともに移動電話のソフトウェアにアラームメッセージを送る。移動電話１５に接続された自動制御システムは、車上盗その他の警報とともに、即時の監視するに必要なメッセージをセルラーネットワークを介して制御施設に送る。
【００１３】
受信機／制御ユニット１２は、中央制御室にあるデータ収集ユニット（例えば、ＰＣ）／モニタ１８に連絡することが可能である。薬剤が取られなかった場合アラームを鳴らす薬剤ディスペンサ１９に接続することもできる。
【００１４】
移動電話に接続するとともに、住宅、自動車、オフィスセキュリティシステムにおいて、本発明の自動制御システムを用いることによって、たった一個のリストユニット１１によって自動制御可能なアッセンブリを構成可能である。また、自動ドライバによって、ユーザが一つの場所から他の場所へ移動するとき様々な目標領域で盗難監視装置を自動的にオンオフし、必要に応じて所定の時刻にユーザの所在についての情報を開示するように本発明のシステムが動作可能である。
【図面の簡単な説明】
【図１】  本発明のセキュリティ装置の基本ユニットのブロック図である。
【図２】  セキュリティ装置に含まれた受信機ユニットが移動電話に接続される様子を示す図である。
【図３】  動作状態にあるセキュリティ装置の種々のユニットの配置を示す図である。
【図４】  移動電話と接続されたセキュリティ装置の使用の詳細を示す図である。
【図１】
0004074059.tif 000002
【図２】
0004074059.tif 000003
【図３】
0004074059.tif 000004
【図４】
0004074059.tif 000005